(57)【要約】【課題】  絶縁監視装置と物理的・電気的に切り離すことで、試験対象である絶縁監視装置の影響を受けることがなく、それにより、絶縁監視装置の試験を適正に行うことができる絶縁監視装置の試験装置を提供する。【解決手段】  本発明に係る試験装置は、ケーブル線４を介して電路から得た電力を電源とする電源部と、電路の電圧位相に対して位相が所定角度ずれた試験電流を生成すると共に、該試験電流を電流出力線６に注入する電流注入手段と、変流器８ａを用いて接地線を流れる漏れ電流と電流出力線６を流れる試験電流とを合わせて検出する電流検出手段８と、該電流検出手段８による検出結果から得られた漏れ電流に関する情報を表示する表示手段とを備える。【選択図】図２
2010271244.tif 000002
【特許請求の範囲】
【請求項１】
単相交流又は３相交流の電路の接地線に取り付けられた変流器を用いて該接地線を流れる漏れ電流を検出し、該漏れ電流の検出状況に基づいて電路の絶縁状態を監視する絶縁監視装置の試験装置であって、
電路に接続されるケーブル線を含み、該ケーブル線を介して電路から得た電力を電源とする電源部と、
電路の電圧位相を検出する電圧位相検出手段と、
絶縁監視装置の前記変流器に挿通される電流出力線を含み、前記電圧位相検出手段により検出された電路の電圧位相に対して位相が所定角度ずれた試験電流を生成すると共に、該試験電流を前記電流出力線に注入する電流注入手段と、
前記電流出力線が挿通されるようにして接地線に取り付けられる変流器を含み、該変流器を用いて接地線を流れる漏れ電流と前記電流出力線を流れる試験電流とを合わせて検出する電流検出手段と、
該電流検出手段による検出結果から得られた漏れ電流に関する情報を表示する表示手段と
を備えることを特徴とする絶縁監視装置の試験装置。
【請求項２】
前記電流注入手段は、漏れ電流を増加又は減少させる位相の試験電流を生成すると共に、該試験電流を電流出力線に注入する請求項１に記載の絶縁監視装置の試験装置。
【請求項３】
前記電流注入手段は、漏れ電流に含まれる有効漏れ電流を増加又は減少させる位相の試験電流を生成すると共に、該試験電流を電流出力線に注入する請求項１に記載の絶縁監視装置の試験装置。
【請求項４】
前記電流注入手段は、漏れ電流に含まれる無効漏れ電流を増加又は減少させる位相の試験電流を生成すると共に、該試験電流を電流出力線に注入する請求項１に記載の絶縁監視装置の試験装置。
【請求項５】
前記電流注入手段は、漏れ電流に含まれる有効漏れ電流を増加又は減少させる位相の試験電流を生成すると共に、該試験電流を電流出力線に注入する状態と、漏れ電流に含まれる無効漏れ電流を増加又は減少させる位相の試験電流を生成すると共に、該試験電流を電流出力線に注入する状態の何れに切替可能である請求項１に記載の絶縁監視装置の試験装置。
【請求項６】
前記電流注入手段は、漏れ電流に含まれる有効漏れ電流を増加又は減少させる位相の試験電流を生成すると共に、該試験電流を第１の電流出力線に注入する第１の電流注入手段と、漏れ電流に含まれる無効漏れ電流を増加又は減少させる位相の試験電流を生成すると共に、該試験電流を第２の電流出力線に注入する第２の電流注入手段とからなる請求項１に記載の絶縁監視装置の試験装置。
【発明の詳細な説明】
【技術分野】
【０００１】
本発明は、単相交流又は三相交流の電路の接地線に取り付けられた変流器を用いて該接地線を流れる漏れ電流を検出し、該漏れ電流の検出状況に基づいて電路の絶縁状態を監視する絶縁監視装置の試験装置、より詳しくは、かかる絶縁監視装置が正常であるか否かを電路を停電させることなく（活線状態のままで）試験する試験装置に関する。
【背景技術】
【０００２】
電路の漏れ電流には、絶縁抵抗劣化によって流れる漏れ電流、即ち、絶縁管理で問題となる抵抗分の漏れ電流（有効漏れ電流）と、絶縁状態が健全であっても流れる漏れ電流、即ち、正常状態でも存在する静電容量分の漏れ電流（無効漏れ電流）とがあり、一般的に、漏れ電流はIo、有効漏れ電流はIor、無効漏れ電流はIocで表される。
【０００３】
絶縁監視の方式としては、従来より、漏れ電流の大小を把握するだけの簡易的な監視方法があり、また、最近のＩＴ機器、インバータ機器の増加により、漏れ電流に含まれる無効漏れ電流が増えてきているため、Io方式では、純粋な漏れ電流を精度良く検出することが困難となってきているとして、最近では、有効漏れ電流を純粋な漏れ電流として検出する方式が主流となりつつある。前者はIo方式と呼ばれ、また、後者は、接地線に商用周波数よりも低周波数の微小電圧を注入し、その注入電圧と同相の電流を変流器にて検出することで漏れ電流を求める方式（Igr方式）と、変流器が検出する漏れ電流から電圧と同相の電流をベクトル的に抽出する方式（Ior方式）とに分けられ、各方式の絶縁監視装置が運用されている。
【０００４】
絶縁監視装置は、装置が正常であることを確認するため、警報動作電流に対する許容誤差の試験を定期的に行う必要がある。この種の試験装置としては、Io方式の絶縁監視装置に適用されるもの（特許文献１）と、Ior方式の絶縁監視装置に適用されるもの（特許文献２）が公知であり、何れにおいても共通している考え方は、接地線に取り付けた絶縁監視装置の変流器に試験装置の電流出力線を挿通し、試験電流を電流出力線に注入することにより、絶縁監視装置の変流器が接地線を流れる漏れ電流と電流出力線を流れる試験電流とを合わせて検出するようにし、その上で、これら漏れ電流と試験電流とを合わせたものが絶縁監視装置の警報動作電流に到達するように試験電流を変化させ、その結果、絶縁監視装置が警報動作するか否かを確認するという点である。
【先行技術文献】
【特許文献】
【０００５】
【特許文献１】特開平９−２２９９８５号公報
【特許文献２】特開２００７−２８５７９０号公報
【発明の概要】
【発明が解決しようとする課題】
【０００６】
しかしながら、上記特許文献１に記載された試験装置は、絶縁監視装置に内蔵された絶縁監視装置の自己診断装置であり、いわば絶縁監視装置の従属的な構成であるため、絶縁監視装置に何らかの不具合がある場合、その影響を受けて試験が適正に行われないおそれがある。例えば、特許文献１に記載された試験装置は、絶縁監視装置の変流器からの漏れ電流検出情報に基づいて試験を行うため、その変流器あるいはその情報経路に何らかの不具合があれば、その影響を受けて試験が適正に行われないおそれがある。また、特許文献１に記載された試験装置は、試験電流発生装置と試験制御装置とからなるが、この何れもが絶縁監視装置に内蔵され、且つ、絶縁監視装置と電気的に接続されているため、絶縁監視装置内で何らかの電気的な不具合があれば、その影響を受けて試験が適正に行われないおそれがある。
【０００７】
上記特許文献２に記載された試験装置も同様である。例えば、特許文献２に記載された試験装置は、絶縁監視装置の変流器からの漏れ電流検出情報に基づいて試験を行うため、その変流器あるいはその情報経路に何らかの不具合があれば、その影響を受けて試験が適正に行われないおそれがある。また、特許文献２に記載された試験装置は、絶縁監視装置と電気的に接続されているため、絶縁監視装置内で何らかの電気的な不具合があれば、その影響を受けて試験が適正に行われないおそれがある。
【０００８】
この点に関し、特許文献１の段落［００５２］には、「零相電流の検出情報を得るために絶縁監視装置ＩＯの零相変流器１の検出情報を取得しているが、試験電流発生装置５で独自の零相電流検出センサを備えても良い。」という記載、段落［００５１］には、「試験電流発生装置５は、絶縁監視装置ＩＯとは別個独立の装置として備えるようにしても良い。」という記載があるが、引用文献では、その記載に止まり、変流器や試験電流発生装置を絶縁監視装置から試験装置として独立させた際の具体的な構成の記載はなく、また、そもそも、引用文献１には、試験制御装置までを絶縁監視装置から試験装置として独立させることの記載は無い。
【０００９】
そこで、本発明は、上記問題に鑑みてなされたもので、絶縁監視装置と物理的・電気的に切り離すことで、試験対象である絶縁監視装置の影響を受けることがなく、それにより、絶縁監視装置の試験を適正に行うことができる絶縁監視装置の試験装置を提供することを課題とする。
【課題を解決するための手段】
【００１０】
本発明に係る絶縁監視装置の試験装置は、上記課題を解決すべく構成されたもので、単相交流又は三相交流の電路の接地線に取り付けられた変流器を用いて該接地線を流れる漏れ電流を検出し、該漏れ電流の検出状況に基づいて電路の絶縁状態を監視する絶縁監視装置の試験装置であって、電路に接続されるケーブル線を含み、該ケーブル線を介して電路から得た電力を電源とする電源部と、電路の電圧位相を検出する電圧位相検出手段と、絶縁監視装置の前記変流器に挿通される電流出力線を含み、前記電圧位相検出手段により検出された電路の電圧位相に対して位相が所定角度ずれた試験電流を生成すると共に、該試験電流を前記電流出力線に注入する電流注入手段と、前記電流出力線が挿通されるようにして接地線に取り付けられる変流器を含み、該変流器を用いて接地線を流れる漏れ電流と前記電流出力線を流れる試験電流とを合わせて検出する電流検出手段と、該電流検出手段による検出結果から得られた漏れ電流に関する情報を表示する表示手段とを備えることを特徴とする。
【００１１】
かかる構成によれば、電路に接続されたケーブル線を介して電路から得た電力を電源として、試験電流が生成され、電流検出が行われ、表示制御される。即ち、本発明に係る試験装置は、その電源が電路からまかなわれる。また、試験電流が電流出力線に注入されると、絶縁監視装置の変流器は、接地線を流れる漏れ電流と電流出力線を流れる試験電流とを合わせて検出すると共に、本発明に係る試験装置の変流器も、接地線を流れる漏れ電流と電流出力線を流れる試験電流とを合わせて検出する。従って、本発明に係る試験装置が自身の変流器を用いて検出する電流は、絶縁監視装置が自身の変流器を用いて検出する電流と等価であり、それゆえ、本発明に係る試験装置は、絶縁監視装置と物理的・電気的に切り離されていながら、絶縁監視装置の状態を把握することができる。
【００１２】
そこで、例えば、Io方式の絶縁監視装置であれば、漏れ電流が増加するように試験電流を注入し、また、Ior方式の絶縁監視装置であれば、有効漏れ電流が増加するように試験電流を注入し、絶縁監視装置の所定の警報動作電流に到達させて、絶縁監視装置が警報動作するか否かを確認することができる。尚、所定の警報動作電流に到達したか否かは、表示手段に表示される漏れ電流に関する情報で確認することができる。
【００１３】
因みに、「電路の電圧位相に対して位相が所定角度ずれた」とは、角度が０°の場合、即ち、電路の電圧位相と同相である場合も含む概念である。また、本発明に係る試験装置は、試験電流を注入しなければ、漏れ電流のみが検出されるので、漏れ電流の測定装置として用いることができる。
【００１４】
ここで、本発明に係る絶縁監視装置の試験装置は、前記電流注入手段が、漏れ電流を増加又は減少させる位相の試験電流を生成すると共に、該試験電流を電流出力線に注入する構成を採用することができる。
【００１５】
かかる構成は、Ior方式の絶縁監視装置への適用を否定するものではないが、Io方式の絶縁監視装置に有用である。即ち、Io方式の絶縁監視装置であれば、漏れ電流との関係で警報動作電流が設定されており、かかる構成からなる試験装置は、例えば、漏れ電流が増加するように試験電流を注入し、絶縁監視装置の所定の警報動作電流に到達させて、絶縁監視装置が警報動作することを確認する試験に用いられる。尚、所定の警報動作電流に到達したか否かは、表示手段に表示される漏れ電流に関する情報で確認することができる。
【００１６】
また、本発明に係る絶縁監視装置の試験装置は、前記電流注入手段が、漏れ電流に含まれる有効漏れ電流を増加又は減少させる位相の試験電流を生成すると共に、該試験電流を電流出力線に注入する構成を採用することができる。
【００１７】
かかる構成は、Io方式の絶縁監視装置への適用を否定するものではないが、Ior方式の絶縁監視装置に有用である。即ち、Ior方式の絶縁監視装置であれば、有効漏れ電流との関係で警報動作電流が設定されており、かかる構成からなる試験装置は、例えば、有効漏れ電流が増加するように試験電流を注入し、絶縁監視装置の所定の警報動作電流に到達させて、絶縁監視装置が警報動作することを確認する試験に用いられる。尚、所定の警報動作電流に到達したか否かは、表示手段に表示される有効漏れ電流に関する情報で確認することができる。
【００１８】
また、本発明に係る絶縁監視装置の試験装置は、前記電流注入手段が、漏れ電流に含まれる無効漏れ電流を増加又は減少させる位相の試験電流を生成すると共に、該試験電流を電流出力線に注入する構成を採用することができる。
【００１９】
かかる構成は、無効漏れ電流が絶縁状態が健全であっても流れることに着目したもので、かかる構成からなる試験装置は、例えば、無効漏れ電流が増加するように試験電流を注入し、絶縁監視装置の所定の警報不動作電流に到達させて、絶縁監視装置が警報動作しないことを確認する試験に用いられる。尚、所定の警報不動作電流に到達したか否かは、表示手段に表示される無効漏れ電流に関する情報で確認することができる。
【００２０】
また、本発明に係る絶縁監視装置の試験装置は、前記電流注入手段が、漏れ電流に含まれる有効漏れ電流を増加又は減少させる位相の試験電流を生成すると共に、該試験電流を電流出力線に注入する状態と、漏れ電流に含まれる無効漏れ電流を増加又は減少させる位相の試験電流を生成すると共に、該試験電流を電流出力線に注入する状態の何れに切替可能である構成を採用することができる。
【００２１】
かかる構成によれば、絶縁監視装置の上記した動作確認と、上記した不動作確認とを必要に応じて選択的に行うことができる。
【００２２】
また、本発明に係る絶縁監視装置の試験装置は、前記電流注入手段が、漏れ電流に含まれる有効漏れ電流を増加又は減少させる位相の試験電流を生成すると共に、該試験電流を第１の電流出力線に注入する第１の電流注入手段と、漏れ電流に含まれる無効漏れ電流を増加又は減少させる位相の試験電流を生成すると共に、該試験電流を第２の電流出力線に注入する第２の電流注入手段とからなる構成を採用することができる。
【００２３】
かかる構成によれば、絶縁監視装置の上記した動作確認と、上記した不動作確認とを必要に応じて選択的に行うことができるばかりでなく、第１の電流注入手段と第２の電流注入手段を同時的に作動して、二種類の試験電流を同時的に注入することができる。例えば、一方の試験電流だけでは漏れ電流を大きく変化させることができない場合、もう一方の試験電流を併せて注入することで、漏れ電流を大きく変化させることが可能となる。
【発明の効果】
【００２４】
以上の如く、本発明は、絶縁監視装置と物理的・電気的に切り離すことで、試験対象である絶縁監視装置の影響を受けることがなく、それにより、絶縁監視装置の試験を適正に行うことができる。
【図面の簡単な説明】
【００２５】
【図１】本実施形態に係る試験装置の外観構成図を示す。
【図２】同試験装置の内部構成図を示す。
【図３】同試験装置を用いた絶縁監視装置の動作確認試験（単相交流の電路の場合）の概念図を示す。
【図４】同試験装置を用いた絶縁監視装置の動作確認試験（三相交流の電路の場合）の概念図を示す。
【図５】同試験装置を用いた絶縁監視装置の不動作確認試験（単相交流の電路の場合）の概念図を示す。
【図６】同試験装置を用いた絶縁監視装置の不動作確認試験（三相交流の電路の場合）の概念図を示す。
【図７】同試験装置を用いた絶縁監視装置が警報動作してからの動作確認試験の概念図を示す。
【発明を実施するための形態】
【００２６】
以下、本発明に係る絶縁監視装置の試験装置の一実施形態について、図面を参酌しつつ説明する。
【００２７】
まず、絶縁監視装置について概略を説明する。本実施形態に係る絶縁監視装置は、自家用電気工作物内に設置して使用される。また、純粋な漏れ電流の検出精度が高くないIo方式や、検出精度は高いものの低周波数の電圧を注入するためのトランスが必要となること等により、重量物で高価なIgr方式ではなく、安価なシステム構成で十分に良好な検出精度が得られるIor方式の絶縁監視装置である。
【００２８】
配電線から引込線にて電気設備に引き込まれた6.6kVの高圧は、変圧器にて、単相２線、単相３線、三相３線等に適用される100V、200V等の低電圧に変圧され、変圧器の２次側（低圧側）の一端は接地線（一般には、Ｂ種接地線）にて接地されるが、この接地線に、漏れ電流を検出する漏れ電流検出センサとして、絶縁監視装置の変流器（ＣＴ）、より詳しくは、貫通型や分割型の変流器が取り付けられる。
【００２９】
絶縁監視装置は、上記変流器を用いて漏れ電流を検出する電流検出部と、該電流検出部が設定量（警報動作電流）以上の漏れ電流を検出した場合、視覚的及び／又は聴覚的、接点出力などで警報動作する警報処理部とを備える。また、電流検出部は、検出した漏れ電流から有効漏れ電流をベクトル演算によって抽出する。有効漏れ電流を抽出するための具体的な方法としては、漏れ電流の位相と電圧位相との位相差を検出し、その位相差（角度）から有効漏れ電流をベクトル演算する方法や、線間電圧から生成した位相判定信号を利用してベクトル演算する方法といった、漏れ電流と電路の電圧位相とに基づいて有効漏れ電流を求める方法が一般的である。
【００３０】
〔試験装置の概略構成〕
次に、かかる絶縁監視装置の試験装置について説明する。本実施形態に係る試験装置は、Ior方式の絶縁監視装置に対応してIor方式が採用され、漏れ電流及び有効漏れ電流はもちろんのこと、無効漏れ電流も検出することができるようになっている。
【００３１】
具体的には、電路に接続される一対のケーブル線を含み、該ケーブル線を介して電路から得た電力を電源とする電源部と、電路の電圧位相を検出する電圧位相検出手段と、絶縁監視装置の変流器に挿通される電流出力線を含み、電圧位相検出手段により検出された電路の電圧位相に対して位相が所定角度ずれた試験電流を生成すると共に、該試験電流を電流出力線に注入する電流注入手段と、電流出力線が挿通されるようにして接地線に取り付けられる変流器を含み、該変流器を用いて接地線を流れる漏れ電流と電流出力線を流れる試験電流とを合わせて検出する電流検出手段と、該電流検出手段による検出結果から得られた漏れ電流に関する情報を表示する表示手段とを備える。
【００３２】
〔試験装置の外観構成〕
本実施形態に係る試験装置の外観構成を図１に示す。筐体１の正面パネル２には、電源スイッチ３、各ケーブル線（電源コード）４のプラグを接続するためのコネクタ５，５、電流出力線６の両端部に設けられた各プラグを接続するためのコネクタ７，７、クランプ式変流器（クランプＣＴ）８の信号線のプラグを接続するためのコネクタ９、ＤＣ電圧入力用のコネクタ１０、ＬＣＤパネル１１、電気方式切替スイッチ１２、注入電流切替スイッチ１３、電流レンジ切替スイッチ１４、極性切替スイッチ１５、画面選択ボタン１６及び電流調節ボリューム１７といった各種のコネクタ、表示部及び操作要素が設けられる。
【００３３】
ケーブル線４は、先端にクリップ４ａを有し、電路をクリップすることにより、電路から電力を得ることができる。単相交流の電路であれば、一方のクリップ４ａをＬ１相、他方のクリップ４ａをＮ相に噛ませ、Ｌ１−Ｎ間電源接続（100V）か、一方のクリップ４ａをＬ２相、他方のクリップ４ａをＮ相に噛ませ、Ｌ２−Ｎ間電源接続（100V）か、一方のクリップ４ａをＬ１相、他方のクリップ４ａをＬ２相に噛ませ、Ｌ１−Ｌ２間電源接続（200V）かの何れかを任意に選択することができ、また、三相交流の電路であれば、一方のクリップ４ａをＵ相、他方のクリップ４ａをＷ相に噛ませ、Ｕ−Ｗ間電源接続（200V）を採らなければならない。
【００３４】
電流出力線６は、例えば８芯のＬＡＮケーブルであり、電路の電圧位相から所定の位相角を持った試験電流（Ior、Ioc）が通電されるようになっている。クランプ式変流器８は、先端にクランプ部８ａを有し、接地線に取り付けられる（クランプされる）。クランプ式変流器８は、一般的に市販されているタイプのものが用いられる。
【００３５】
ＤＣ電圧入力用のコネクタ１０は、対象の絶縁監視装置に動作制限が設けてある等、動作確認が困難な場合に、絶縁監視装置の記録計用出力（ＤＣ電圧出力）を接続することにより、絶縁監視装置が検出した漏れ電流（IorやIo）の大きさに比例したＤＣ電圧（直流電圧）を読み取るためのものである。通常は、テスターなどの別の測定器具を用いて測定することになるが、本実施形態に係る試験装置においては、上記の電圧検出機能及びその表示機能を組み込むことにより、テスターなどの別の測定器具を不要とする。
【００３６】
ＬＣＤパネル１１は、「測定画面」と「設定画面」の二つの表示を行うものであり、画面選択ボタン１６を押釦する度に、「測定画面」と「設定画面」とが切り替わるようになっている。「測定画面」は、クランプ式変流器８を用いて検出された漏れ電流の情報（後述するベクトル演算により求められた有効漏れ電流（Ior）と無効漏れ電流（Ioc）と漏れ電流（Io）の各数値）を表示する画面である。一方、「設定画面」は、設定状態を表示する画面である。具体的には、上記した各種スイッチ１２〜１５の切替状態（即ち、選択した電気方式、選択した注入電流の種類（mA）及びその極性（+/-）、選択した電流レンジ（mA））と、上記のＤＣ電圧（V）を確認することができる。
【００３７】
電気方式切替スイッチ１２は、電路の電気方式を選択するためのもので、電路が単相交流であれば、「単相」を選択し、電路が三相交流であれば、「三相」を選択する。注入電流切替スイッチ１３は、電流出力線６に通電させたい（注入したい）試験電流の種類を選択するためのもので、有効漏れ電流に対するものであれば、「Ior」を選択し、無効漏れ電流に対するものであれば、「Ioc」を選択する。電流レンジ切替スイッチ１４は、注入する試験電流のレンジを選択するためのもので、0〜10mAであれば、「10mA」を選択し、0〜100mAであれば、「100mA」を選択する。極性切替スイッチ１５は、注入する試験電流の極性を選択するためのもので、正（+）であれば、「正極」を選択し、負（-）であれば、「逆極」を選択する。電流調節ボリューム１７は、選択した試験電流のレンジ内で試験電流の大きさを可変するためのものである。
【００３８】
〔試験装置の内部構成〕
次に、本実施形態に係る試験装置の内部構成を図２に示す。図２においては、試験装置が符号Ｃで表されており、その内部に各種の要素を含む。以下、各要素について説明する。尚、図２において、符号Ｔは変圧器、Ｇは接地線、Ｉは絶縁監視装置、Ｉａはその変流器、をそれぞれ表す。
【００３９】
「電源部」は、電路の電圧を電子回路用の電源に変換する。また、安全のため、一次側と二次側とは絶縁されている。「位相検出」は、電路の電圧位相を取り込み、電路の電圧（正弦波）をＣＰＵからなる制御部Ｃａが取り込める形（例えば、矩形波）に変換する。また、安全のため、一次側と二次側とは絶縁されている。
【００４０】
「位相補正値」は、予め求めた電圧位相のずれ分のことであり、変流器８や装置内の電子回路（特にフィルタ）で発生する位相の遅れや進み分を補正する。「sin/cosデータ」は、sin波（正弦波）、cos波（余弦波）のデジタルデータのことであり、有効漏れ電流及び無効漏れ電流のベクトル演算に使用し、また、試験電流の作成元となる。「同期処理」は、検出した電圧位相に位相補正値を加える（又は減算する）と共に、漏れ電流の演算タイミング、又は、試験電流の注入タイミングを決定する。
【００４１】
「電流検出」は、変流器８を用いて検出した漏れ電流Ioを電圧に変換し、電圧が所定の大きさになるように増幅／減衰させる。「フィルタ」は、ノイズ成分を除去する。
【００４２】
「A/D変換」は、変流器８を用いて検出した漏れ電流（アナログデータ）をデジタルデータに変換する。「乗算」は、sin波（正弦波）又はcos波（余弦波）のデジタルデータとA/D変換で得られたデジタルデータとの乗算を行う。「１周期の平均」は、乗算で得られた結果の例えば１周期分の平均値を求める。「注入電流作成」は、sin/cosデータを元に、sin波（正弦波）又はcos波（余弦波）の試験電流を生成する。「電力増幅」は、注入する試験電流に必要な電流を供給する。
【００４３】
〔漏れ電流の演算処理〕
本実施形態に係る試験装置の構成説明は以上のとおりであり、次に、変流器８を用いて検出した漏れ電流Ioから有効漏れ電流Iorと無効漏れ電流Iocをベクトル演算する、その処理概要について説明する。
【００４４】
＜単相交流の電路における有効漏れ電流Ior＞
本実施形態に係る試験装置のケーブル線４，４の電路への接続がＬ１−Ｎ間電源接続であれば、Ｌ１−Ｎ間の電圧位相を検出し、また、電路への接続がＬ２−Ｎ間電源接続であれば、Ｌ２−Ｎ間の電圧位相を検出し、また、電路への接続がＬ１−Ｌ２間電源接続であれば、Ｌ１−Ｌ２間の電圧位相を検出し、この電圧位相と同期した正弦波のデジタルデータを生成し、該デジタルデータと漏れ電流Ioをサンプリングした信号とを乗算する。有効漏れ電流Iorは電路の電圧位相と同相（又は逆相）となるため（図３（ｂ）参照）、演算結果は有効漏れ電流Iorの大きさに比例した交流分と直流分になって現れる。一方、無効漏れ電流Iocは電路の電圧位相から９０°の進み位相となるので、演算結果は無効漏れ電流Iocの大きさに比例した交流分のみとなり、直流分は現れない。従って、電圧位相と同期した正弦波のデジタルデータと漏れ電流Ioをサンプリングした信号とを乗算した後、１周期分の平均をとれば、無効漏れ電流Iocは除去され、有効漏れ電流Iorのみを分離抽出することができる。
【００４５】
＜三相交流の電路における有効漏れ電流Ior＞
有効漏れ連流Iorを分離抽出するための、電路の電圧位相の基準が単相交流の電路の場合と異なる。有効漏れ電流Ior(U)は電路のＵ−Ｗ間の電圧Vwuから１２０°の遅れ位相となる（図４（ｂ）参照）。このため、電圧Vwuの電圧位相を検出し、該電圧位相と同期した余弦波のデジタルデータを生成する。その後、単相交流の電路の場合と同様に、該デジタルデータと漏れ電流Ioをサンプリングした信号とを乗算し、１周期分の平均をとれば、無効漏れ電流Iocが除去される。尚、ここで得られる有効漏れ電流Ior(U)'は、電路のＵ−Ｗ間の電圧位相から９０°遅れた線上にあるので（図４（ｂ）参照）、得られた有効漏れ電流Ior(U)'を1.15倍（1/cos30°倍）したものが有効漏れ電流Ior(U）の最終結果となる。
【００４６】
＜単相交流の電路における無効漏れ電流Ioc＞
無効漏れ電流Iocの検出には余弦波のデジタルデータを使用する。無効漏れ電流Iocは電路の電圧位相から９０°の進み位相となるため（図５（ｂ）参照）、余弦波のデジタルデータと漏れ電流Ioをサンプリングした信号とを乗算すれば、演算結果は無効漏れ電流Iocの大きさに比例した交流分のみとなり、直流分は現れない。従って、電圧位相と同期した余弦波のデジタルデータと漏れ電流Ioをサンプリングした信号とを乗算した後、１周期分の平均をとれば、有効漏れ電流Iorは除去され、無効漏れ電流Iocのみを分離抽出することができる。
【００４７】
＜三相交流の電路における無効漏れ電流Ioc＞
各電圧相の対地静電容量が等しく分布している場合、各電圧相の無効漏れ電流（Ioc(U)とIoc(W)）のベクトル合成和電流Iocは、電路のＵ−Ｗ間の電圧Vwuと同相（又は逆相）になる（図６（ｂ）参照）。無効漏れ電流Iocの抽出には、電圧Vwuの電圧位相と同期した正弦波のデジタルデータを使用し、その後は、単相交流の電路の場合と同様に、該デジタルデータと漏れ電流Ioをサンプリングした信号とを乗算し、１周期分の平均をとれば、有効漏れ電流Iorは除去され、無効漏れ電流Iocのみを分離抽出することができる。尚、ここで得られる無効漏れ電流Iocは、電路のＵ−Ｗ間の電圧位相と同じ線上にあるので（図６（ｂ）参照）、有効漏れ電流Iorを抽出するときのように、得られた無効漏れ電流Iocを1.15倍（1/cos30°倍）する必要はない。
【００４８】
＜表示部での表示＞
以上のようにして演算された有効漏れ電流Ior,Ior(U)及び無効漏れ電流Iocは、漏れ電流Ioとともに「測定画面」モードにおける表示部１１に表示される。また、後述するが、電流調節ボリューム１７を操作して試験電流値を変えることにより、Io値、Ior値、Ioc値も変わるが、これらは都度リアルタイムで演算処理が行われ、リアルタイムで表示される。
【００４９】
〔試験装置のセットアップ〕
次に、本実施形態に係る試験装置（以下、単に「本装置」という場合がある）のセットアップについて図１及び図２を参酌しつつ説明する。セットアップとは、本装置を用いて絶縁監視装置を試験するに当たり、必要な事前準備作業をいう。尚、図２は、単相交流の電路であるが、三相交流の電路も同様である。
【００５０】
まず、変流器８及びケーブル線４，４を本装置Ｃに接続する。また、電流出力線６を絶縁監視装置Ｉの変流器Ｉａと本装置Ｃの変流器８とに同じ向きとなるように挿通させた後、該電流出力線６を本装置Ｃに接続する。次に、ケーブル線４，４の各クリップ４ａを電路の該当相にクリップさせ、ケーブル線４，４を電路に接続する。この状態で、電源スイッチ３をＯＮにし、また、変流器８（のクランプ部８ａ）を接地線Ｇにクランプする。しかる後、電気方式切替スイッチ１２で電路の電気方式（単相／三相）を選択し、電流調節ボリューム１７を最小にしておく。
【００５１】
次に、注入電流切替スイッチ１３で試験電流の種類（Ior/Ioc）を選択する。すると、電流出力線６には、有効漏れ電流Iorに関して言えば、単相交流の電路の場合、電路の電圧位相に対して、０°又は１８０°、三相交流の電路の場合、電路の電圧位相に対して、−９０°又は９０°、の試験電流Iorpが生成され、無効漏れ電流Iocに関して言えば、単相交流の電路の場合、電路の電圧位相に対して、９０°又は−９０°、三相交流の電路の場合、電路の電圧位相に対して、０°又は１８０°、の試験電流Iocpが生成される。
【００５２】
この状態で、試験電流の種類を「Ior」に選択しているならば、表示部１１に表示されるIor値を読み取る。あるいは、試験電流の種類を「Ioc」に選択しているならば、表示部１１に表示されるIoc値を読み取る。そして、この値を参考にして、電流レンジ切替スイッチ１４で出力する最大電流値（10mA/100mA）を選択する。これにてセットアップは完了である。
【００５３】
〔絶縁監視装置の動作確認試験（単相交流の電路の場合）〕
動作確認とは、有効漏れ電流Iorに対する試験電流Iorpを電流出力線６に注入することにより、絶縁監視装置Ｉの変流器Ｉａが接地線Ｇを流れる漏れ電流Ioと電流出力線６を流れる試験電流Iorpとを合わせて検出するようにし、その上で、これら漏れ電流Ioと試験電流Iorpとを合わせたものが絶縁監視装置Ｉの警報動作電流に到達するように試験電流Iorpを変化させ、その際、絶縁監視装置Ｉが警報動作することを確認するという絶縁監視装置Ｉの試験である。
【００５４】
まず、単相交流の電路における絶縁監視装置Ｉの動作確認を行う場合、本装置Ｃのセットアップにおいて、電気方式切替スイッチ１２を「単相」に選択し、注入電流切替スイッチ１３を「Ior」に選択しておく。
【００５５】
次に、電流調節ボリューム１７を右側へ少し回し、表示部１１上のIor値が増加することを確認する。Ior値が増加する場合は、試験電流Iorpの極性は正常であるが、Ior値が減少する場合は、試験電流Iorpの極性が反対であるため、極性切替スイッチ１５が「正極」ならば、「逆極」に切り替え、一方、極性切替スイッチ１５が「逆極」ならば、「正極」に切り替えた後、電流調節ボリューム１７を再び右側へ少し回し、Ior値が増加することを確認する。
【００５６】
かかる状態から、電流調節ボリューム１７をさらに右側へ回し、絶縁監視装置Ｉが警報動作するまで電流調節ボリューム１７を回す。これにより、図３に示す如く、電流出力線６には、電路の電圧位相と同相（又は逆相）の試験電流Iorpが通電され、接地線Ｇに対して見かけ上、試験電流Iorpが注入されることとなる。
【００５７】
例えば、絶縁監視装置Ｉの警報動作電流を50mA、電路における既存の有効漏れ電流Iorが10mA流れているとすれば（図３（ｂ）参照）、絶縁監視装置Ｉの警報動作電流には電流40mAが足りないため、絶縁監視装置Ｉを警報動作させるためには、不足分の電流40mAを注入する必要がある。この場合、電流調節ボリューム１７を回し、電路の電圧位相と同相（又は逆相）の試験電流Iorpを40mA注入することにより、Ior値の合計値（実際の有効漏れ電流Iorと試験電流Iorpとを合わせて、以下、「仮想有効漏れ電流Ior」という）は、50mA、即ち、絶縁監視装置Ｉの警報動作電流となる（同図（ｃ）参照）。
【００５８】
従って、その状態で絶縁監視装置Ｉは警報動作すべきであり、実際そうであれば、動作確認の試験結果はＯＫ、警報動作しなければ、動作確認の試験結果はＮＧ、ということになる。言い換えれば、注入する試験電流Iorpを徐々に増加し、絶縁監視装置Ｉが警報動作した際の表示部１１におけるIor値を読み取り、その値が絶縁監視装置Ｉの警報動作電流に対して所定範囲内（例えば50mA±10％）に入っていれば、絶縁監視装置Ｉは合格、外れていれば、絶縁監視装置Ｉは不合格、ということになる。
【００５９】
〔絶縁監視装置の動作確認試験（三相交流の電路の場合）〕
まず、三相交流の電路における絶縁監視装置Ｉの動作確認を行う場合、本装置Ｃのセットアップにおいて、電気方式切替スイッチ１２を「三相」に選択し、注入電流切替スイッチ１３を「Ior」に選択しておく。
【００６０】
次に、電流調節ボリューム１７を右側へ少し回し、表示部１１上のIor値が増加することを確認する。Ior値が増加する場合は、試験電流Iorpの極性は正常であるが、Ior値が減少する場合は、試験電流Iorpの極性が反対であるため、極性切替スイッチ１５が「正極」ならば、「逆極」に切り替え、一方、極性切替スイッチ１５が「逆極」ならば、「正極」に切り替えた後、電流調節ボリューム１７を再び右側へ少し回し、Ior値が増加することを確認する。
【００６１】
かかる状態から、電流調節ボリューム１７をさらに右側へ回し、絶縁監視装置Ｉが警報動作するまで電流調節ボリューム１７を回す。これにより、図４に示す如く、電流出力線６には、電路の電圧位相に対して位相が９０°異なる試験電流Iorpが通電され、接地線Ｇに対して見かけ上、試験電流Iorpが注入されることとなる。
【００６２】
例えば、絶縁監視装置Ｉの警報動作電流を50mA、電路における既存の有効漏れ電流Ior(U)が10mA流れているとすれば（図４（ｂ）参照）、絶縁監視装置Ｉの警報動作電流には電流40mAが足りないため、絶縁監視装置Ｉを警報動作させるためには、不足分の電流40mAを注入する必要がある。この場合、電流調節ボリューム１７を回し、電路の電圧位相に対して位相が９０°異なる試験電流Iorpを34.6mA（40mA×cos30°）注入することにより、Ior値の合計値（実際の有効漏れ電流Ior(U)、それと、試験電流Iorpを1.15倍（1/cos30°倍）したものとを合わせて、以下、「仮想有効漏れ電流Ior」という）は、50mA、即ち、絶縁監視装置Ｉの警報動作電流となる（同図（ｃ）参照）。
【００６３】
従って、その状態で絶縁監視装置Ｉは警報動作すべきであり、実際そうであれば、動作確認の試験結果はＯＫ、警報動作しなければ、動作確認の試験結果はＮＧ、ということになる。言い換えれば、注入する試験電流Iorpを徐々に増加し、絶縁監視装置Ｉが警報動作した際の表示部１１におけるIor値を読み取り、その値が絶縁監視装置Ｉの警報動作電流に対して所定範囲内（例えば50mA±10％）に入っていれば、絶縁監視装置Ｉは合格、外れていれば、絶縁監視装置Ｉは不合格、ということになる。
【００６４】
〔絶縁監視装置の不動作確認試験（単相交流の電路の場合）〕
不動作確認とは、無効漏れ電流Iocに対する試験電流Iocpを電流出力線６に注入することにより、絶縁監視装置Ｉの変流器Ｉａが接地線Ｇを流れる漏れ電流Ioと電流出力線６を流れる試験電流Iocpとを合わせて検出するようにし、その上で、これら漏れ電流Ioと試験電流Iocpとを合わせたものが絶縁監視装置Ｉの警報不動作電流に到達するように試験電流Iocpを変化させ、その際、絶縁監視装置Ｉが警報動作しないことを確認する、という絶縁監視装置Ｉの試験である。有効漏れ電流Iorのみならず、無効漏れ電流Iocも確認することで、絶縁監視装置Ｉをより綿密に試験することを目的とする。
【００６５】
まず、単相交流の電路における絶縁監視装置Ｉの不動作確認を行う場合、本装置Ｃのセットアップにおいて、電気方式切替スイッチ１２を「単相」に選択し、注入電流切替スイッチ１３を「Ioc」に選択しておく。
【００６６】
次に、電流調節ボリューム１７を右側へ少し回し、表示部１１上のIoc値が増加することを確認する。Ioc値が増加する場合は、試験電流Iocpの極性は正常であるが、Ioc値が減少する場合は、試験電流Iocpの極性が反対であるため、極性切替スイッチ１５が「正極」ならば、「逆極」に切り替え、一方、極性切替スイッチ１５が「逆極」ならば、「正極」に切り替えた後、電流調節ボリューム１７を再び右側へ少し回し、Ioc値が増加することを確認する。
【００６７】
かかる状態から、電流調節ボリューム１７をさらに右側へ回し、これにより、図５に示す如く、電流出力線６には、電路の電圧位相に対して位相が９０°異なる試験電流Iocpが通電され、接地線Ｇに対して見かけ上、試験電流Iocpが注入されることとなる。
【００６８】
例えば、絶縁監視装置Ｉの警報不動作電流を50mA、電路における既存の無効漏れ電流Iocが10mA流れているとすれば（図５（ｂ）参照）、絶縁監視装置Ｉの警報不動作電流には電流40mAが足りないため、絶縁監視装置Ｉが警報不動作電流にて警報動作しないことを確認するためには、不足分の電流40mAを注入する必要がある。この場合、電流調節ボリューム１７を回し、電路の電圧位相に対して位相が９０°異なる試験電流Iocpを40mA注入することにより、Ioc値の合計値（実際の無効漏れ電流Iocと試験電流Iocpとを合わせて、以下、「仮想無効漏れ電流Ioc」という）は、50mA、即ち、絶縁監視装置Ｉの警報不動作電流となる（同図（ｃ）参照）。
【００６９】
従って、その状態で絶縁監視装置Ｉは警報動作すべきでなく、実際そうであれば、不動作確認の試験結果はＯＫ、警報動作すれば、不動作確認の試験結果はＮＧ、ということになる。言い換えれば、注入する試験電流Iocpを徐々に増加し、表示部１１におけるIoc値を読み取り、その値が絶縁監視装置Ｉの警報不動作電流（例えば50mA）を超えるまでに絶縁監視装置Ｉが警報動作すれば、絶縁監視装置Ｉは不合格、警報動作しなければ、絶縁監視装置Ｉは合格、ということになる。
【００７０】
〔絶縁監視装置の不動作確認試験（三相交流の電路の場合）〕
まず、三相交流の電路における絶縁監視装置Ｉの不動作確認を行う場合、本装置Ｃのセットアップにおいて、電気方式切替スイッチ１２を「三相」に選択し、注入電流切替スイッチ１３を「Ioc」に選択しておく。
【００７１】
次に、電流調節ボリューム１７を右側へ少し回し、表示部１１上のIoc値が増加することを確認する。Ioc値が増加する場合は、試験電流Iocpの極性は正常であるが、Ioc値が減少する場合は、試験電流Iocpの極性が反対であるため、極性切替スイッチ１５が「正極」ならば、「逆極」に切り替え、一方、極性切替スイッチ１５が「逆極」ならば、「正極」に切り替えた後、電流調節ボリューム１７を再び右側へ少し回し、Ioc値が増加することを確認する。
【００７２】
かかる状態から、電流調節ボリューム１７をさらに右側へ回し、これにより、図６に示す如く、電流出力線６には、電路の電圧位相と同相（又は逆相）の試験電流Iocpが通電され、接地線Ｇに対して見かけ上、試験電流Iocpが注入されることとなる。
【００７３】
例えば、絶縁監視装置Ｉの警報不動作電流を50mA、電路における既存の無効漏れ電流Iocが10mA流れているとすれば（図６（ｂ）参照）、絶縁監視装置Ｉの警報不動作電流には電流40mAが足りないため、絶縁監視装置Ｉを警報不動作電流にて警報動作しないことを確認するためには、不足分の電流40mAを注入する必要がある。この場合、電流調節ボリューム１７を回し、電路の電圧位相と同相（又は逆相）の試験電流Iocpを40mA注入することにより、Ioc値の合計値（実際の無効漏れ電流Iocと試験電流Iocpとを合わせて、以下、「仮想無効漏れ電流Ioc」という）は、50mA、即ち、絶縁監視装置Ｉの警報不動作電流となる（同図（ｃ）参照）。
【００７４】
従って、その状態で絶縁監視装置Ｉは警報動作すべきでなく、実際そうであれば、不動作確認の試験結果はＯＫ、警報動作すれば、不動作確認の試験結果はＮＧ、ということになる。言い換えれば、注入する試験電流Iocpを徐々に増加し、表示部１１におけるIoc値を読み取り、その値が絶縁監視装置Ｉの警報不動作電流（例えば50mA）を超えるまでに絶縁監視装置Ｉが警報動作すれば、絶縁監視装置Ｉは不合格、警報動作しなければ、絶縁監視装置Ｉは合格、ということになる。
【００７５】
〔絶縁監視装置が警報動作してからの動作確認試験〕
絶縁監視装置Ｉが警報動作した状態において、有効漏れ電流Iorを打ち消す（減少させる）ように試験電流Iorpを注入して（単相交流の電路である場合の図７（ａ）、三相交流の電路である場合の同図（ｃ）参照）、仮想有効漏れ電流Iorが小さくなる（表示部１１に表示されるIor値が小さくなる）ようにする。この操作によって警報動作が解除されると、絶縁監視装置Ｉの警報動作電流に到達していた有効漏れ電流Iorが引き下げられたとして、絶縁監視装置Ｉの警報動作は正しかった（即ち、絶縁監視装置Ｉが正しく警報動作した）ということを確認することができる。
【００７６】
また、絶縁監視装置Ｉが警報動作した状態において、無効漏れ電流Iocを打ち消す（減少させる）ように試験電流Iocpを注入して（単相交流の電路である場合の図７（ｂ）、三相交流の電路である場合の同図（ｄ）参照）、仮想無効漏れ電流Iocが小さくなる（表示部１１に表示されるIoc値が小さくなる）ようにする。この操作によっても警報動作が解除されないと、有効漏れ電流Iorが絶縁監視装置Ｉの警報動作電流に到達した状態のままであるとして、絶縁監視装置Ｉの警報動作は正しい（即ち、絶縁監視装置Ｉが正しく警報動作している）ということを確認することができる。
【００７７】
〔自己診断〕
試験装置のセットアップにおいて、電流注入機能、電流検出機能が正しく機能しているか否かを、自身の変流器８を自身の電流出力線６に取り付けた上で電流出力線６に試験電流を注入することにより、自己診断することができる。即ち、試験電流Iorを電流出力線６に注入したときに、表示部１１のIoc値が増加／減少する等、変化が見られず、あるいは、試験電流Iocを電流出力線６に注入したときに、表示部１１のIor値が増加／減少する等、変化が見られないならば、試験装置は正常であるが、いずれかにおいて変化が見られると、試験装置に何らかの不具合があるということである。
【００７８】
以上、本実施形態に係る試験装置によれば、絶縁監視装置の試験を種々の観点から行うことができるようになる。しかも、本実施形態に係る試験装置は、絶縁監視装置と物理的・電気的に切り離すことで、試験対象である絶縁監視装置の影響を受けることがなく、それにより、絶縁監視装置の試験を適正に行うことができる。
【００７９】
尚、本発明は、上記実施形態に限定されるものではなく、本発明の要旨を逸脱しない範囲で種々の変更が可能である。
【００８０】
例えば、上記実施形態においては、Ior方式の絶縁監視装置に対してIor方式の試験装置を適用する例について説明したが、Io方式の絶縁監視装置に対してIo方式の試験装置を適用する場合も本発明が意図する範囲である。この場合、漏れ電流Ioと同相（又は逆相）の試験電流Ioが電流出力線６に注入される。
【００８１】
また、上記実施形態においては、注入電流切替スイッチ１３で試験電流の種類（Ior/Ioc）を選択することで、有効漏れ電流Iorに対する試験電流Iorpを生成するか、無効漏れ電流Iocに対する試験電流Iocpを生成するかを選択するようにしているが、出力部を２系統に分けて設け、一方の電流出力線には、試験電流Iorpを、他方の電流出力線には、試験電流Iocpを、それぞれ独立して注入するようにしてもよい。特に、Io方式の絶縁監視装置では、試験電流Iorpだけ、試験電流Iocpだけを注入するだけでなく、両方の成分を注入して確認することが有効な場合（例えば、漏れ電流Ioが非常に大きく、どちらか片方の電流だけでは打ち消すことができない場合など）がある。
【００８２】
また、上記実施形態においては、本発明に係る電流検出手段として、変流器を用いるようにしているが、例えば、電磁形変成器、容量形変成器、増幅形変成器といった変成器を用いるようにしてもよい。
【符号の説明】
【００８３】
１…筐体、２…正面パネル、３…電源スイッチ、４…ケーブル線、４ａ…クリップ、５…コネクタ、６…電流出力線、７…コネクタ、８…クランプ式変流器、８ａ…クランプ部、９…コネクタ、１０…コネクタ、１１…表示部、１２…電気方式切替スイッチ、１３…注入電流切替スイッチ、１４…電流レンジ切替スイッチ、１５…極性切替スイッチ、１６…画面選択ボタン、１７…電流調節ボリューム、Ｃ…試験装置、Ｃａ…制御部、Ｔ…変圧器、Ｇ…接地線、Ｉ…絶縁監視装置、Ｉａ…絶縁監視装置の変流器
【図１】
2010271244.tif 000003
【図２】
2010271244.tif 000004
【図３】
2010271244.tif 000005
【図４】
2010271244.tif 000006
【図５】
2010271244.tif 000007
【図６】
2010271244.tif 000008
【図７】
2010271244.tif 000009